【事件の表示】
　特許第３１８６５６５号「データ放送システム、データ放送システムにおける受信システム、多重放送システムおよび多重放送システムの番組放送方法」の請求項１ないし４に係る特許に対する特許異議の申立てについて、次のとおり決定する。
【結　論】
　訂正を認める。
　特許第３１８６５６５号の請求項１ないし４に係る特許を維持する。
【理　由】
１．手続の経緯
　本件特許第３１８６５６５号の請求項１ないし４に係る発明についての出願は、平成８年２月７日の出願であって、平成１３年５月１１日にその発明について特許の設定登録がなされ、その後、平成１４年１月１１日に特許異議申立人阪井善一より特許異議の申立てがなされ、平成１４年４月１６日付けで取消理由通知がなされて、その指定期間内である平成１４年６月２４日に訂正請求書及び特許異議意見書の提出があったものである。
　
２．訂正の適否についての判断
（１）訂正の内容
ア．訂正事項ａ　　　　　　
　明細書における特許請求の範囲の請求項１ないし４を以下のように訂正する。
「【請求項１】　データ放送以外の所定の放送番組の進行に関連した質問を含むクイズ形式のデータ放送番組を上記所定の放送番組の進行に応じて実行するための番組実行プログラムと、当該データ放送番組を構成する番組構成データとが、送出システムによって所定送出単位ごとにかつ上記所定の放送番組の進行に応じて送出されるデータ放送システムにおける受信システムであって、
　カードライタ、送出システムによって送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システムにおける受信システム。
　
【請求項２】　送出システムと受信システムとを備えたデータ放送システムにおいて、
　送出システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとを所定送出単位ごとに送出する送出手段を備えており、
　受信システムは、カードライタ、送出システムから送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システム。
　
【請求項３】　送出システムと受信システムとを備えた多重放送システムにおいて、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出する送出手段を備えており、
　受信システムは、カードライタ、送出システムから送出される多重信号を受信し、受信した多重信号に含まれている番組実行プログラムと番組構成データとを記憶装置に格納する手段、および記憶装置に格納された番組実行プログラムおよび番組構成データに基づいて、多重放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とする多重放送システム。
　
【請求項４】　送出システムと受信システムとを備えた多重放送システムの番組放送方法において、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出し、
　受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、
　受信システムにカードライタを設けておくとともに、番組実行プログラムに、それによって提示する質問に対するユーザの回答を、受信システムに設けられたカードライタによってカードに印刷させるためのプログラムを含ませていることを特徴とする多重放送システムの番組放送方法。」
　
イ．訂正事項ａ１
　特許第３１８６５６５号公報第４頁第８欄第２８行〜第４１行、すなわち特許明細書の段落【００４２】における
「この発明による・・・に関連した内容のデータ放送番組を・・・における受信システムであって、送出システムによって・・・に格納する手段、・・・の進行に応じて実行させる手段を備えていることを特徴とする。」
を、
「この発明によるデータ放送システムにおける受信システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとが、送出システムによって所定送出単位ごとにかつ上記所定の放送番組の進行に応じて送出されるデータ放送システムにおける受信システムであって、カードライタ、送出システムによって送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」
と訂正する。
　
ウ．訂正事項ａ２
　特許第３１８６５６５号公報第４頁第８欄第４２行〜第５頁第９欄第５行、すなわち特許明細書の段落【００４３】における
「この発明による・・・に関連した内容のデータ放送番組を・・・を備えており、受信システムは、送出システムから・・・に格納する手段、・・・の進行に応じて実行させる手段を備えていることを特徴とする。」
を、
「この発明によるデータ放送システムは、送出システムと受信システムとを備えたデータ放送システムにおいて、送出システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとを所定送出単位ごとに送出する送出手段を備えており、受信システムは、カードライタ、送出システムから送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」
と訂正する。
　
エ．訂正事項ａ３
　特許第３１８６５６５号公報第５頁第９欄第６行〜第１８行、すなわち特許明細書の段落【００４４】における
「この発明による・・・に関連した内容の多重放送番組を・・・を備えており、受信システムは、送出システムから・・・に格納する手段、・・・の進行に応じて実行させる手段を備えていることを特徴とする。」
　を、
「この発明による多重放送システムは、送出システムと受信システムとを備えた多重放送システムにおいて、送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出する送出手段を備えており、受信システムは、カードライタ、送出システムから送出される多重信号を受信し、受信した多重信号に含まれている番組実行プログラムと番組構成データとを記憶装置に格納する手段、および記憶装置に格納された番組実行プログラムおよび番組構成データに基づいて、多重放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」
と訂正する。
　
オ．訂正事項ａ４
　特許第３１８６５６５号公報第５頁第９欄第２０行〜第３２行、すなわち特許明細書の段落【００４６】における
「この発明による・・・に関連した内容の多重放送番組を・・・送出し、・・・の進行に応じて実行させることを特徴とする。」
を、
「この発明による多重放送システムの番組放送方法は、送出システムと受信システムとを備えた多重放送システムの番組放送方法において、送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出し、受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、受信システムにカードライタを設けておくとともに、番組実行プログラムに、それによって提示する質問に対するユーザの回答を、受信システムに設けられたカードライタによってカードに印刷させるためのプログラムを含ませていることを特徴とする。」
と訂正する。
　
（２）訂正の目的の適否、新規事項の有無、及び特許請求の範囲の拡張・変更の存否
　
ア．訂正事項ａについて
　
（ア−１）請求項１の訂正のうち、
「データ放送以外の所定の放送番組の進行に関連した質問を含むクイズ形式のデータ放送番組」とする点は、データ放送番組の内容を「データ放送以外の所定の放送番組の進行に関連した内容」から「データ放送以外の所定の放送番組の進行に関連した質問を含むクイズ形式」に限定するものであって、特許請求の範囲の減縮を目的とするものであると認められる。
　そして、上記の訂正は、訂正前明細書の段落【０１２６】〜【０１３４】の
「【０１２６】図１３を参照して、番組連動型プログラム型番組の実行処理について説明する。
　・・・
【０１２９】次に、問題を出すタイミングがくると、送出システムから、問題を出題するためのプログラムおよび画面データがモジュール番号２のページデータとして送出される。モジュール番号２のページデータを受信すると受信データに基づいて次のような処理が行なわれる。
【０１３０】　まず、効果音が出力される（ステップ３２）。つまり、１００３行のＳＯＵＮＤコマンドに基づいて、効果音”ジャジャーン”が１秒間出力される。
【０１３１】　この後、問題が表示されるとともに回答入力待ちとなる（ステップ３３）。つまり、１００４行のＩＮＰＵＴＧコマンドに基づいて、画面データ〔２，１〕の”さあ開始、この打席ヒットｏｒホームラン”が表示されるとともに画面データ〔２，２〕の”（１）ヒット　（２）ホームラン　”が表示された後、回答入力待ちとなる。
【０１３２】　次に、回答の確認表示が行なわれる（ステップ３４）。ステップ３４の処理は、１００５行〜１０１１行のコマンドに基づいて実行される。１００４行のＩＮＰＵＴＧコマンドで指定された回答待機時間（カウントダウン秒数）内に回答入力がない場合には、１００６行のＤＩＳＰコマンドに基づいて、画面データ〔２，３〕の”回答未入力”が表示される。そして、１００７行のＧＯＴＯコマンドに基づいて、モジュール番号３の１０１２行に進む。
【０１３３】　回答入力が”１”である場合には、１００５行のＯＮＧＯＴＯコマンドに基づいて１００８行に進み、１００８行のＤＩＳＰコマンドに基づいて画面データ〔２，４〕の”ヒットですね”が表示される。そして、１００９行のＧＯＴＯコマンドに基づいて、モジュール番号３の１０１２行に進む。
【０１３４】　回答入力が”２”である場合には、１００５行のＯＮＧＯＴＯコマンドに基づいて１０１０行に進み、１０１０行のＤＩＳＰコマンドに基づいて画面データ〔２，５〕の”ホームランですね”が表示される。そして、１０１１行のＧＯＴＯコマンドに基づいて、モジュール番号３の１０１２行に進む。」
という記載、及び、図１３の記載に基づくものであって、上記の構成の限定は、願書に添付した明細書又は図面に記載した事項の範囲内においてした訂正であると認められる。そして、この訂正は、実質上特許請求の範囲を拡張し、又は変更するものではないと認められる。
　
（ア−２）請求項１の訂正のうち、
　「受信システムであって、カードライタ、・・・を備えており」とする点は、
受信システムがカードライタを備えているものであることに限定するものであって、特許請求の範囲の減縮を目的とするものであると認められる。
　そして、上記の訂正は、訂正前明細書の段落【００６８】の「カードライタ５６は、カード挿入・排出口３２に挿入されたカード３０に、二次元バーコードまたは文字を書き込むためのものである。カード３０に記録されるまたは予め記録されているバーコード情報としては、受信装置２１を使用するユーザに関する個人情報、クイズ番組に対する回答結果等を示す情報、番組を指定する情報等がある。」という記載、及び、図３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−３）請求項１の訂正のうち、
　「番組実行プログラムは、それによって提示する質問に対するユーザの回答を、受信システムに設けられたカードライタによってカードに印刷させるためのプログラムを含んでいる」とする点は、番組実行プログラムが、それによって提示する質問に対するユーザの回答を、受信システムに設けられたカードライタによってカードに印刷させるためのプログラムを含んでいるものであることに限定するものであって、特許請求の範囲の減縮を目的とするものであると認められる。
　そして、上記の訂正は、訂正前明細書の段落【０１３５】〜【０１３８】の「【０１３５】　中継されている野球において、上記問題に対する結果が出ると、送出システムから正解を表示するとともに回答を印字するためのプログラムおよび画面データがモジュール番号３のページデータとして送出される。モジュール番号３のページデータを受信すると受信データに基づいて、次のような処理が行なわれる。
【０１３６】　まず、正解が表示される（ステップ３５）。つまり、モジュール番号３の１０１２行のＤＩＳＰコマンドに基づいて、画面データ〔３，１〕の”正解はホームランでした”が表示される。
【０１３７】　また、ユーザの回答がカード３０に２次元バーコード印字される（ステップ３６）。つまり、１０１３行のＦＩＥＬＤＢコマンドによって印字フィールドが定義された後、１０１４行のＰＵＴＢコマンドによってユーザの回答がカード３０に印字される。
【０１３８】　次に、ユーザの回答がカード３０に文字印字される（ステップ３７）。つまり、１０１５行のＬＬＯＣＡＴＥコマンドに基づいて印字位置が指定される。１０１６行のＶＳＥＴコマンドに基づいてユーザの回答が文字コードに変換される。１０１７行のＬＰＲＩＮＴコマンドに基づいてユーザの回答がカード３０に文字印刷される。そして、１０１８行のＥＮＤＣコマンドにより、今回の番組が終了する。」という記載、及び、図１３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−４）請求項２の訂正のうち、
「データ放送以外の所定の放送番組の進行に関連した質問を含むクイズ形式のデータ放送番組」とする点は、前記（ア−１）で検討したと同様に特許請求の範囲の減縮を目的とするものであると認められ、この訂正は、訂正前明細書の段落【０１２６】〜【０１３４】及び図１３の記載に基づくものであって、上記の構成の限定は、願書に添付した明細書又は図面に記載した事項の範囲内においてした訂正であると認められる。そして、この訂正は、実質上特許請求の範囲を拡張し、又は変更するものではないと認められる。
　
（ア−５）請求項２の訂正のうち、
　「受信システムは、カードライタ、・・・を備えており」とする点は、前記（ア−２）で検討したと同様に特許請求の範囲の減縮を目的とするものであると認められ、この訂正は、訂正前明細書の段落【００６８】及び図３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−６）請求項２の訂正のうち、
　「番組実行プログラムは、それによって提示する質問に対するユーザの回答を、受信システムに設けられたカードライタによってカードに印刷させるためのプログラムを含んでいる」とする点は、前記（ア−３）で検討したと同様に特許請求の範囲の減縮を目的とするものであると認められ、この訂正は、訂正前明細書の段落【０１３５】〜【０１３８】、及び、図１３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−７）請求項３の訂正のうち、
「多重放送以外の所定の放送番組の進行に関連した質問を含むクイズ形式の多重放送番組」とする点は、多重放送番組の内容を「多重放送以外の所定の放送番組の進行に関連した内容」から「多重放送以外の所定の放送番組の進行に関連した質問を含むクイズ形式」に限定するものであって、特許請求の範囲の減縮を目的とするものであると認められる。
　また、この訂正は、前記（ア−１）と同じく訂正前明細書の段落【０１２６】〜【０１３４】及び図１３の記載に基づくものであって、上記の構成の限定は、願書に添付した明細書又は図面に記載した事項の範囲内においてした訂正であると認められる。そして、この訂正は、実質上特許請求の範囲を拡張し、又は変更するものではないと認められる。
　
（ア−８）請求項３の訂正のうち、
「受信システムは、カードライタ、・・・を備えており」とする点は、前記（ア−２）で検討したと同様に特許請求の範囲の減縮を目的とするものであると認められ、この訂正は、訂正前明細書の段落【００６８】及び図３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−９）請求項３の訂正のうち、
　「番組実行プログラムは、それによって提示する質問に対するユーザの回答を、受信システムに設けられたカードライタによってカードに印刷させるためのプログラムを含んでいる」とする点は、前記（ア−３）で検討したと同様に特許請求の範囲の減縮を目的とするものであると認められ、そして、この訂正は、訂正前明細書の段落【０１３５】〜【０１３８】、及び、図１３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
（ア−１０）請求項４の訂正のうち、
「多重放送以外の所定の放送番組の進行に関連した質問を含むクイズ形式の多重放送番組」とする点は、前記（ア−７）で検討したと同様に、特許請求の範囲の減縮を目的とするものであると認められ、この訂正は、訂正前明細書の段落【０１２６】〜【０１３４】及び図１３の記載に基づくものであって、上記の構成の限定は、願書に添付した明細書又は図面に記載した事項の範囲内においてした訂正であると認められる。そして、この訂正は、実質上特許請求の範囲を拡張し、又は変更するものではないと認められる。
　
（ア−１１）請求項４の訂正のうち、
「受信システムにカードライタを設けておくとともに」とする点は、前記（ア−２）で検討したと同様に特許請求の範囲の減縮を目的とするものであると認められ、この訂正は、訂正前明細書の段落【００６８】及び図３の記載に基づくものであって、上記の構成の付加は、願書に添付した明細書又は図面に記載した事項の範囲内においてした訂正であると認められる。そして、この訂正は実質上特許請求の範囲を拡張し、又は変更するものではないと認められる。
　
（ア−１２）請求項４の訂正のうち、
「番組実行プログラムに、それによって提示する質問に対するユーザの回答を、受信システムに設けられたカードライタによってカードに印刷させるためのプログラムを含ませている」とする点は、前記（ア−３）で検討したと同様に特許請求の範囲の減縮を目的とするものであると認められ、この訂正は、訂正前明細書の段落【０１３５】〜【０１３８】、及び、図１３の記載に基づくものであって、上記の構成の付加は、願書に添付した明細書又は図面に記載した事項の範囲内においてした訂正であると認められる。そして、この訂正は、実質上特許請求の範囲を拡張し、又は変更するものではないと認められる。
　
イ．訂正事項ａ１について
　段落【００４２】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
ウ．訂正事項ａ２について
　段落【００４３】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
エ．訂正事項ａ３について
　段落【００４４】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
オ．訂正事項ａ４について
　段落【００４６】の訂正は、上述した特許請求の範囲の訂正に整合させて、【課題を解決するための手段】の欄を訂正したものであり、明細書の記載を訂正するものであり、明りょうでない記載の釈明に該当すると認められる。
　また、この訂正は、上述したように、願書に添付した明細書又は図面に記載した事項の範囲内においてした訂正であると認められ、実質上特許請求の範囲を拡張し、又は変更するものではないと認められる。
　
（３）むすび
　したがって、上記の訂正事項ａ、ａ１〜ａ４は、特許法第１２０条の４第２項及び同条第３項で準用する第１２６条第２項及び第３項の規定に適合するので、当該訂正を認める。
　
３．特許異議申立てについて
（１）申立の理由の概要
　特許異議申立人阪井善一は、証拠として甲第１号証（特開平７−２０３４１７号公報）、甲第２号証（特開平７−２３３５６号公報）、甲第３号証（放送技術開発協議会編「文字放送技術ハンドブック」兼六館出版、昭和６１年８月１日発行：３６〜９３頁、２００〜２０１頁、２５４〜２５５頁）を提出し、［申立の理由１］本件特許請求の範囲の請求項１ないし４に係る発明は、甲第１〜３号証に記載された発明に基づいて、当業者が容易に発明をすることができたものであるから、特許法第２９条第２項の規定に違反してされたものであって、それらの特許は特許法第１１３条第２号に該当するので取り消されるべきものであり、また、［申立の理由２］同請求項１ないし４に係る発明の特許は、その明細書が特許法第３６条４項に規定する要件を満たしていない特許出願に対してされたものであるので取り消されるべきものであり、さらに［申立の理由３］同請求項１ないし４に係る発明の特許は、特許法第１７条の２第３項の要件を満たしていない補正をした特許出願に対してされたものあり、取り消されるべきものである旨主張している。
　
（２）申立の理由１（２９条２項）について
　（２−１）本件発明
　第３１８６５６５号の請求項１ないし４に係る発明は、平成１４年６月２４日付けの訂正請求書により訂正された明細書の特許請求の範囲の請求項１ないし４に記載されたとおりの事項により特定される次のものである。
「【請求項１】　データ放送以外の所定の放送番組の進行に関連した質問を含むクイズ形式のデータ放送番組を上記所定の放送番組の進行に応じて実行するための番組実行プログラムと、当該データ放送番組を構成する番組構成データとが、送出システムによって所定送出単位ごとにかつ上記所定の放送番組の進行に応じて送出されるデータ放送システムにおける受信システムであって、
　カードライタ、送出システムによって送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システムにおける受信システム。
　
【請求項２】　送出システムと受信システムとを備えたデータ放送システムにおいて、
　送出システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとを所定送出単位ごとに送出する送出手段を備えており、
　受信システムは、カードライタ、送出システムから送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システム。
　
【請求項３】　送出システムと受信システムとを備えた多重放送システムにおいて、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出する送出手段を備えており、
　受信システムは、カードライタ、送出システムから送出される多重信号を受信し、受信した多重信号に含まれている番組実行プログラムと番組構成データとを記憶装置に格納する手段、および記憶装置に格納された番組実行プログラムおよび番組構成データに基づいて、多重放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とする多重放送システム。
　
【請求項４】　送出システムと受信システムとを備えた多重放送システムの番組放送方法において、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出し、
　受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、
　受信システムにカードライタを設けておくとともに、番組実行プログラムに、それによって提示する質問に対するユーザの回答を、受信システムに設けられたカードライタによってカードに印刷させるためのプログラムを含ませていることを特徴とする多重放送システムの番組放送方法。」
　
（２−２）引用刊行物
　
刊行物１：特開平７−２０３４１７号公報（甲第１号証）
刊行物２：特開平７−２３３５６号公報（甲第２号証）
刊行物３：放送技術開発協議会編「文字放送技術ハンドブック」兼六館出版、昭和６１年８月１日発行：３６〜９３頁、２００〜２０１頁、２５４〜２５５頁（甲第３号証）
　
（２−３）刊行物に記載された発明
  各刊行物には以下の事項が記載されている。
　
　ア．刊行物１（特開平７−２０３４１７号公報）
　（ア−１）「【０００１】【産業上の利用分野】この発明は、双方向番組を提供するテレビ放送あるいはラジオ放送の放送方法及びその受信装置、さらには、双方向放送システムに関し、特に、受信者からの応答の送信先において、受信者の応答タイミングを正確に検知することができるようにする発明に関する。」（２頁右欄段落【０００１】）
　
　（ア−２）「【０００７】　この発明は、以上の点に鑑み、応答者の応答のための端末の問題や、応答者からの応答情報の伝送路の混雑状態に関係なく、応答者の応答アクセスの実際のタイミングを、応答の送信先において検知することができるようにすることを目的 とする。
　【０００８】 【課題を解決するための手段】前記課題を解決するため、この発明による放送方法においては、受信者の応答を期待する双方向番組のときに、主放送信号に、受信者の応答タイミングを知るための副放送情報を多重化して放送することを特徴とする。」（３頁左欄段落【０００７】【０００８】）
　
　（ア−３）「【００１５】［副放送情報の作成と放送］この例の副放送情報は、双方向番組において、視聴者（受信者）からの応答のための各種の情報を含む。この副放送情報は、双方向番組の放送時に主放送信号に多重化されると共に、双方向番組以外のときにも、必要に応じて、適宜、多重化されて放送される。
【００１６】 まず、放送局側では、例えば、クイズ番組などの問題ごとの選択手順情報が作成されて、番組の放送に備えられる。３択の問題であれば、３つの回答をメニュー表示して視聴者に選択させるという選択手順が作成される。クイズ番組の場合、返信先は放送局側の受信システムとなり、このシステムへの通信プロトコルと受信用の電話番号が、返信先情報として設定される。 
　【００１７】そして、例えばクイズ番組などの放送中、視聴者に解答を委ねる場面になった時点から、次に説明するように、時間情報、選択手順情報及び返信先情報が、映像信号の垂直帰線期間に多重されて放送される。 」（ ３頁右欄段落【００１５】〜【００１７】）
　
　（ア−４）「【００１９】この例の副放送情報は、図１に示すように、時間情報と、選択手順情報と、返信先情報とからなるものが１単位となっている。この１単位の副放送情報は、図１では、１フィールド分の画像データのブランキング期間内に、全て多重化されるものとして示したが、この１単位の副放送情報のうち、時間情報以外の情報は 複数フィールドに渡る場合もある。 」（３頁右欄段落【００１９】）
　
　（ア−５）「【００２２】（２）選択手順情報
　選択手順情報は、通信用プロトコルのような、いわば、一つのプログラムの塊であって、この例の場合には、選択手順識別情報と、選択手順の情報と、表示／音声データと、時間制限情報と、その他の情報から構成される。選択手順情報は 、かなりの情報量となり得るため、前述したように、複数のフィールドにわたって多重されることもある。 
【００２３】選択手順識別情報は、視聴者が選択結果を返信する際に、その返信情報に付加して送信することにより、当該選択結果がその選択手順、つまり、どの質問、どのアンケート項目、どのクイズ問題に対しての答えであるのかを、返信先で判断するための識別子である。この選択手順識別情報の返送によって、返信先では、遅れて受け取った答えであっても、どの問題に対しての答えであるかの判断ができる。 
【００２４】選択手順は、中間言語的な記述による、メニュー選択のプログラムであって、ここに記載された流れに従って、例えばイメージ表示、文字列表示、動画表示などにより、画面への表示が行なわれ、また、場合によっては音声メッセージが再生される。また、視聴者からの操作の受付や、この操作に対しての画面の表示の切り換えなどの応答処理も行なわれる。表示／音声データは、上述のような、イメージ、文字列、動画などの表示に用いるためのフォント、グラフィック、アニメーション、動画などのデータ及び音声メッセージのデータである。 」（４頁左欄段落【００２２】〜【００２４】）
　
　（ア−６）「【００３８】映像復調器１３からの映像信号Ｓｖは、また、多重データ抽出回路１７に供給されて、前述のような多重化された副放送情報のデータＤ17を抽出する。この多重データ抽出回路１７は、副放送情報が多重化されている垂直ブランキング期間内の所定の水平区間のみをゲートするゲート回路と、そのゲート出力に対して所定レベルでスライスして２値化多重データを取り出すいわゆるデータスライサとで構成することができる。そして、この多重データ抽出回路１７からのデータＤ17が制御系２０のＣＰＵ２１に供給される。 
　【００３９】制御系２０は、ＣＰＵ２１と、ＲＯＭ２２と、ＤＲＡＭ２３と、ＳＲＡＭ２４と、ＶＲＡＭ２５とを備え、それぞれがシステムバス２６に接続される。ＲＯＭ２２には、多重された副放送情報のデコードや返信処理プログラムのほか、各種の制御プログラムが格納されると共に、表示に用いるフォントやグラフィックのデータも格納される。ＤＲＡＭ２３は主に演算のための作業領域として利用され、ＳＲＡＭ２４には受信装置自身の設定情報やＩＤ情報などが保存される。そして、ＶＲＡＭ２５は表示に用いられる。」（５頁左欄段落【００３８】、【００３９】）
　
　（ア−７）「【００４６】 そして、多重データの副放送情報が検出され、図１に示すような選択手順情報が受信されると、この情報内の選択手順の記述に従って、例えば、クイズに対する回答のメニューが受像機１に表示される（ステップＳ１）。この表示は、多重化されているフォント、グラフィック、テキストコードなどのデータおよび表示座標や、ＲＯＭ２２上のフォント、グラフィックなどのデータを、手順に従って、ＶＲＡＭ２５上の各アドレスに転送することによりなされる。」（５頁右欄段落【００４６】）
　
　（ア−８）「【００８９】【発明の効果】　以上説明したように、この発明によれば、放送側で受信側の応答タイミングを知るための副放送情報を、主放送信号に多重化して放送し、受信側では当該受信側に固有の識別情報と、応答情報と、当該応答情報の入力操作時点でのタイミング情報とを返信先に送信するようにしたので、伝送路の混雑状態などに関係なく 、視聴者の実アクセス操作タイミングを確定することができる。 
　　　【００９０】また、視聴者の応答タイミングが確定できるので、放送側で視聴者の応答を許可する期間を制限した場合にも、応答が制限期間内に行われたか否かをも、返信先において、容易に識別することができる。」（８頁右欄段落【００８９】、【００９０】）
　
　イ．刊行物２（特開平７−２３３５６号公報）
　（イ−１）「【０００８】【課題を解決するための手段】上記の問題を解決するため本発明は、各家庭に複数の無線周波数をさらに各周波数毎に時分割多重利用する方式を用いた無線チャネルの割当タイムスロットに、バースト形式で視聴者の応答（以下視聴者データと称す）を送信する送受信手 段を備え、・・・・また放送局には、一斉地上放送において映像信号と同時に、映像信号に関連する情報を文字放送信号として付加する手段を設け、さらに各家庭には、テレビ受像機と、文字放送を受信する文字放送デコーダと 、前記テレビ受像機及び文字放送デコーダ及び前記送受信手段に接続する制御手段を備えるようにしたものである。」（２頁右欄段落【０００８】）
　
　（イ−２）「【００１６】【実施例】以下、図面を用いて本発明の一実施例を詳しく説明する。図１は小ゾーン式対話型テレビ及びビデオゲーム放送システムの構成を示すシステム構成図である。図１において１、２は、視聴者を地域別に区別するサービスゾーンであり、３は各サービスゾーンから集計された視聴者データを各放送局宛に分配及び交換する地方交換局（以下ＬＸと略す）、４、５は、地上波等を用いて広域のテレビ及びビデオゲーム放送を行う放送局である。１０１、１１１、１ｎ１は各家庭に設置されたテレビ受像機であり、１０２、１１２、１ｎ２は制御装置、１０３、１１３、１ｎ３は家庭用子局（以下ＨＳと略す）である。」（３頁左欄段落【００１６】）
　
　（イ−３）「【００３９】視聴者は競馬中継の実況放送と、文字放送チャネルを介して送信される各出走馬、オッズ（各出走馬の人気度及び払い戻し時における倍率）、馬場（競馬場のコンディション）データから勝馬投票券を選択する。選択データはＨＳ１０３、ＴＳ１０、ＬＸ３を経由して放送局へ伝送され前記オッズデータが更新される。レース終了後、当たり馬券選択者にはオッズに準じたゲームポイントが与えられ、最終的なゲームポイントから全国視聴者内での順位が計算される。」（４頁右欄段落【００３９】）
　
　（イ−４）「【００４２】 次に放送局はアプリケーションソフトを文字放送チャネルを用いて伝送し、視聴者側では前記アプリケーションソフトが制御装置１０２においてダウンロードされる（Ｒ１）。続いてスタート信号が放送局から文字放送チャネルを介して送信され視聴者側では前記スタート信号に基づくスタート表示画面が制御装置１０２より出力表示され（Ｒ２）、ゲームスタートとなる。
　　　【００４３】 放送局からは各出走馬、オッズ、馬場データが常時文字放送チャネルを介して送信されており、視聴者側では前記各データが制御装置１０２へ入力されゲーム場面に応じた表示がなされる（Ｒ３）。視聴者側では前記各データ及び実況放送から得る情報から勝馬投票券選択信号ｘを制御装置１０２及びＨＳ１０３を介して送信し、同時に視聴者の自己ゲームポイント減算が制御装置１０２によって表示される（Ｒ４）。」（５頁左欄段落【００４２】、【００４３】）
　
　（イ−５）「【００４４】このとき放送局では前記勝馬投票券選択信号ｘを受信し（Ｂ０）、前記勝馬投票券選択信号ｘをある関数ｆによってチェックコードｆ［ｘ］を算出し、さらにこのｆ［ｘ］を加入者コードで参照される記憶エリア（図示せず）にセーブする（Ｂ１）。そして前記した視聴者側からの勝馬投票券選択信号ｘを基に新たなオッズ計算を行う（Ｂ２）。放送局は変動後の新たなオッズデータを文字放送チャネルを介して送信し視聴者側では前記データに基づく新たなオッズ情報を制御装置１０２より出力する（Ｒ５）。各馬出走時間に近づくと放送局は締め切り信号を文字放送チャネルを介して送信し、視聴者側では前記締め切り信号に基づき制御装置１０２が勝馬投票券選択を締め切る（Ｒ６）。その後レースがスタートし（Ｂ３）、レース中において放送局は各出走馬の位置データを文字放送チャネルを介して送信し、視聴者側では前記位置データを受信し、制御装置１０２はテレビ画面上に視聴者が選択した馬を指示するマーカを出力する（Ｒ７）。レースが終了すると（Ｂ４）、放送局は着順及び勝馬ゲームポイントデータを文字放送チャネルを介して送信し、視聴者側では制御装置１０２が前記着順及び勝馬ゲームポイントデータに基づくゲーム画面の表示を行う（Ｒ８）。各視聴者の中で当たり馬券のある場合は制御装置１０２は自動的にＨＳ１０３を介して勝馬投票券選択信号ｘ’を送信する。放送局は前記勝馬投票券選択信号ｘ’を受信し（Ｂ５） 、前述（Ｂ１）と同様に前記勝馬投票券選択信号ｘ’をある関数ｆを基にチェックコードｆ［ｘ’］を算出する（Ｂ６）。さらに前記（Ｂ１）で算出したチェックコードｆ［ｘ］と上記チェックコードｆ［ｘ’］とを照合比較する（Ｂ７）。」（５頁左欄段落【００４４】）
　
　（イ−６）「【００５４】さて制御部２３が対話型テレビ及びビデオゲーム放送に適応した動作をするための制御プログラムは、文字放送デコーダ２７或いは、パッケージソフトＩ／Ｆ２６より制御部２３を介してＲＡＭ２４へダウンロードされる。したがって、視聴する番組毎に対話型テレビ及びビデオゲーム放送用ソフトをテレビ受像機１０１に重畳した文字放送データ或いはＲＯＭカセット等のパッケージによって供給できる。２８はスーパインポーズ表示制御部であり、本システムにおける起動時、回線接続時、応答選択時等に対応したスーパインポーズ表示をテレビ受像機１０１に出力する。」（６頁左欄段落【００５４】）
　
　ウ．刊行物３（放送技術開発協議会編「文字放送技術ハンドブック」）
　（ウ−１）「1.9.1　番組形態の種類と区分
　符号化伝送方式文字放送の番組は、文字、図形の表示と、場合によりこれに付加音が伴う一組の情報提示を含む一つ又は複数のページで構成される・・・受信側で、送出される番組データを逐次的に提示処理する非一括形、・・・・」（３８頁左欄２５行〜３８行）
　
　（ウ−２）「1.9.3　非一括形と一括形
　非一括形と一括形は、受信側で番組データを受信次第、逐次的に提示処理を行うか、番組データを全て受信してから提示処理を行うかを示す番組の形態の区分である。
　(1)非一括形
　非一括形は、送出側で提示時間のタイミングを考慮して番組のページデータを送出し、受信機側はそのページデータを受信次第、逐次的に提示処理を行う形態である。即ち、テレビジョン放送番組の進行に同期して割込み送出を行うスーパー固定表示の字幕番組や、ページ単位で送出を行いその都度、逐次的に提示処理を行う固定表示の反復形の番組などは非一括形となる。」（３８頁右欄下から１２行〜３９頁左欄２行）
　
　（ウ−３）「b.　付加音と同期した画面の表示制御
・・・・して次のページの表示開始タイミングの制御を行う。即ち、付加音の再生状態からの制御で画面の表示制御を行うモードである。」（３９頁右欄下から９行〜同下から３行）
　
（２−４）対比・判断
　本件請求項１に係る発明と上記刊行物１ないし３に記載された発明とを対比すると、請求項１に係る発明である受信システムが、カードライタを備え、受信した信号に含まれている番組実行プログラムは、それによって提示する質問に対するユーザの回答を、受信システムに設けられたカードライタによってカードに印刷させるためのプログラムを含んでいるのに対して、上記刊行物１ないし３に記載された発明は、カードライタを備えることはもとより、受信した信号に含まれている番組実行プログラムが提示した質問に対するユーザの回答をそのカードライタによってカードに印刷させるプログラムを含んでいることもないので、両者はこの点において相違している。
　そして、この相違点は、当業者にとって自明な事項ではなく、本件請求項１に係る発明はこの点により、明細書記載の効果を奏するものである。してみると、本件請求項１に係る発明が上記刊行物１ないし３に記載された各発明に基づいて当業者が容易に発明することができたものとはいえない。
　
　本件請求項２ないし４に記載された各発明と、上記刊行物１ないし３に記載された発明とをそれぞれ対比すると、請求項２ないし４に記載され各発明も、請求項１に記載された発明と同様に、受信システムにカードライタを設けておくとともに、番組実行プログラムが、それによって提示する質問に対するユーザの回答を、受信システムに設けられたカードライタによってカードに印刷させるためのプログラムを含んでいることを構成として具備しているので、この点において上記刊行物１ないし３に記載された発明と相違しており、本件請求項２ないし４に係る発明が上記刊行物１ないし３に記載され
た各発明に基づいて当業者が容易に発明することができたものとはいえない。
　したがって、本件請求項１ないし４に係る特許は、特許法第２９条第２項の規定に違反してされたものとすることはできない。
　
（３）申立の理由２（３６条４項）について
　　特許異議申立人は、請求項１ないし４に記載された（ア）「（番組実行プログラムと番組構成データとが）上記所定の放送番組の進行に応じて送出される」という構成、および（イ）「番組実行プログラムおよび番組構成データに基づいて、データ放送番組を上記所定の放送番組の進行に応じて実行させる」という構成は、明細書の発明の詳細な説明において当業者が容易にその実施をすることができる程度に明確かつ十分に記載されていないから、特許法第３６条第４項の要件を満たさないと主張している。
　
　そこで、先ず上記（ア）について検討すると、
　本件発明に係る送出システムについて説明した本件明細書の段落【００４９】〜【００５８】及び図１には、本件発明に係る送出システムは、従来から放送されてきたＦＭ多重放送番組（一般多重放送番組）の他に、一般ＦＭ多重放送番組とはサービス種別の異なるＦＭ多重放送番組（特定ＦＭ多重放送番組）を送出できる機能を有していること（段落【００５１】）、特定ＦＭ多重放送番組には、クイズ番組、ゲーム番組のようにその番組を実行するための番組実行プログラムとその番組を構成する番組構成データ（文字、図形等のデータ）の両方が送出されるプログラム型番組、天気予報、後述するコマシャール番組等の情報サービス番組があること（段落【００５２】）、プログラム型番組には、テレビ放送、ＦＭ放送等の多重放送以外の放送番組の進行に応じて番組データが所定送出単位ごとに送出される番組連動プログラム型番組があること（段落【００５３】）、そしてＦＭ放送番組を制作して送出するＦＭ放送番組制作・送出装置１１、特定ＦＭ多重放送番組のデータを入力するための特定番組入力端末１４を備えていること（段落【００５４】）、特定番組入力端末１４に入力された特定ＦＭ多重放送番組のデータは特定番組編成送出制御部１５でデータ編成された後、ＦＭ放送番組制作・送出装置１１から送出される通常のＦＭ放送と加算されてから送信されること（段落【００５５】〜【００５８】）、が記載されている。
　また、本件発明に係る番組連動型プログラム番組のデータ送出について説明した段落【００８６】〜【００８８】、及び図７には、番組連動型のプログラム番組のデータは、１つのモジュール単位または複数のモジュール単位を送出単位として送出されること、１つのモジュール単位には、１つの番組管理データと１つのページデータ（ページデータヘッダならびに１つのモジュール番号に対応するプログラムユニットおよび画面データユニットを含む）とからなっていることが記載されており、送出システムの特定番組編成送出制御部１５による編集送出処理について説明した段落【００９７】、及び図１０には、手入力によってまたは時間に基づいて次の送出指示が入力される毎に（ステップ１）、次の１送出単位分のデータが編集され（ステップ２）、編集された１送出単位分の送出データが２〜３回連続して送出される（ステップ３）ことが記載されている。
　そして、本件発明に係る番組連動型プログラム型番組の実行処理の説明において、段落【０１２９】には「次に、問題を出すタイミングがくると、送出システムから、問題を出題するためのプログラムおよび画面データがモジュール番号２のページデータとして送出される。」と、段落【０１３５】には「中継されている野球において、上記問題に対する結果が出ると、送出システムから正解を表示するとともに回答を印字するためのプログラムおよび画面データがモジュール番号３のページデータとして送出される。」と記載されている。
　これら本件明細書中の記載事項によれば、前記「（番組実行プログラムと番組構成データとが）上記所定の放送番組の進行に応じて送出される」に対応する具体的な構成が、発明の詳細な説明において当業者がその実施をすることができる程度に明確かつ十分に、記載されているものと認められる。
　
　次に、上記（イ）について検討すると、
　本件明細書において、本件発明の受信システムのＣＰＵ５０によるプログラム型番組実行処理を説明した段落【０１０６】〜【０１１１】の記載、それに関連した図１２の記載、番組連動型プログラム型番組の具体例を説明した説明した段落【０１１２】〜【０１３８】の記載、ならびにそれに関連した図１３の記載によれば、番組連動型プログラム型番組において、本件発明に係る受信システムが、当該番組を実行するためのプログラム及び当該番組を構成するデータが送出システムから送出されて受信されたタイミングで、データ放送番組を実行すると説明されており、上記の「番組実行プログラムおよび番組構成データに基づいて、データ放送番組を上記所定の放送番組の進行に応じて実行させる」に対応する具体的な構成が、発明の詳細な説明において当業者がその実施をすることができる程度に明確かつ十分に、記載されているものと認められる。
　
　したがって、本件特許の明細書の発明の詳細な説明には、特許異議申立人の主張するような特許法第３６条第４項に違反する不備はないものである。
　
（４）申立の理由３（１７条の２第３項）について
　　特許異議申立人は、平成１２年１２月２７日付け提出の手続補正書にて行った、請求項１ないし４についての「データ放送以外の所定の放送番組の進行に関連した内容のデータ放送番組」、「上記所定の放送番組の進行に応じて実行するための番組実行プログラム」、「かつ上記所定の放送番組の進行に応じて送出される」、「上記所定の放送番組の進行に応じて実行させる手段」という補正は、いずれも出願当初の明細書の記載から一義的に導かれるものではないので、特許法第１７条の２第３項の要件を満たさないと主張している。
　
　そこで、上記補正事項について検討すると、本件特許出願の願書に最初に添付した明細書において、本件発明の実施の形態について説明した段落【００５３】には、「また、プログラム型番組には、テレビ放送、ＦＭ放送等の多重放送以外の放送番組の進行に応じて番組データが所定送出単位ごとに送出される番組連動プログラム型番組と、・・・・・とがある。」との記載があり、この記載に照らせば、上記の「データ放送以外の所定の放送番組の進行に関連した内容のデータ放送番組」、「上記所定の放送番組の進行に応じて実行するための番組実行プログラム」、及び「かつ上記所定の放送番組の進行に応じて送出される」という事項と同等のものが記載されていたものと認められる。
　また、本件特許出願の願書に最初に添付した明細書において、本件発明の受信システムのＣＰＵ５０によるプログラム型番組実行処理を説明した段落【０１０６】〜【０１１１】の記載、それに関連した図１２の記載、番組連動型プログラム型番組の具体例を説明した説明した段落【０１１２】〜【０１３８】の記載、ならびにそれに関連した図１３の記載に照らせば、番組連動型プログラム型番組において、本件発明に係る受信システムが、当該番組を実行するためのプログラム及び当該番組を構成するデータが送出システムから送出されて受信されたタイミングで、データ放送番組を実行しており、上記の「上記所定の放送番組の進行に応じて実行させる手段」という事項と同等のものが記載されていたものと認められる。
　したがって、前記補正は、新規事項の追加に該当しておらず、特許法第１７条の２第３項に規定する要件を満たしていないとすることはできない。
　
（５）むすび
　以上のとおりであるから、特許異議の申立ての理由及び証拠によっては、本件請求項１ないし４に係る発明についての特許を取り消すことはできない。
　また、他に本件発明についての特許を取り消すべき理由を発見しない。
　よって、結論のとおり決定する。
【異議決定日】
平成１４年９月４日（２００２．９．４）
【訂正の要旨】
訂正の要旨
１．特許第３１８６５６５号発明の明細書中特許請求の範囲の請求項１〜４を、特許請求の範囲の減縮を目的として、以下のとおり訂正する。
「【請求項１】　データ放送以外の所定の放送番組の進行に関連した質問を含むクイズ形式のデータ放送番組を上記所定の放送番組の進行に応じて実行するための番組実行プログラムと、当該データ放送番組を構成する番組構成データとが、送出システムによって所定送出単位ごとにかつ上記所定の放送番組の進行に応じて送出されるデータ放送システムにおける受信システムであって、
　カードライタ、送出システムによって送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システムにおける受信システム。
　【請求項２】　送出システムと受信システムとを備えたデータ放送システムにおいて、
　送出システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとを所定送出単位ごとに送出する送出手段を備えており、
　受信システムは、カードライタ、送出システムから送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とするデータ放送システム。
　【請求項３】　送出システムと受信システムとを備えた多重放送システムにおいて、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出する送出手段を備えており、
　受信システムは、カードライタ、送出システムから送出される多重信号を受信し、受信した多重信号に含まれている番組実行プログラムと番組構成データとを記憶装置に格納する手段、および記憶装置に格納された番組実行プログラムおよび番組構成データに基づいて、多重放送番組を上記所定の放送番組の進行に応じて実行させる手段を備えており、
　番組実行プログラムは、それによって提示する質問に対するユーザの回答を、受信システムに設けられたカードライタによってカードに印刷させるためのプログラムを含んでいることを特徴とする多重放送システム。
　【請求項４】　送出システムと受信システムとを備えた多重放送システムの番組放送方法において、
　送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出し、
　受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、
　受信システムにカードライタを設けておくとともに、番組実行プログラムに、それによって提示する質問に対するユーザの回答を、受信システムに設けられたカードライタによってカードに印刷させるためのプログラムを含ませていることを特徴とする多重放送システムの番組放送方法。」
２．特許第３１８６５６５号発明の明細書中段落【００４２】における「この発明による・・・に関連した内容のデータ放送番組を・・・における受信システムであって、送出システムによって・・・に格納する手段、・・・の進行に応じて実行させる手段を備えていることを特徴とする。」を、明りょうでない記載の釈明を目的として、「この発明によるデータ放送システムにおける受信システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとが、送出システムによって所定送出単位ごとにかつ上記所定の放送番組の進行に応じて送出されるデータ放送システムにおける受信システムであって、カードライタ、送出システムによって送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」と訂正する。
３．特許第３１８６５６５号発明の明細書中段落【００４３】における「この発明による・・・に関連した内容のデータ放送番組を・・・を備えており、受信システムは、送出システムから・・・に格納する手段、・・・の進行に応じて実行させる手段を備えていることを特徴とする。」を、明りょうでない記載の釈明を目的として、「この発明によるデータ放送システムは、送出システムと受信システムとを備えたデータ放送システムにおいて、送出システムは、データ放送以外の所定の放送番組の進行に関連した質問を含むクイズ形式のデータ放送番組を上記所定の放送番組の進行に応じて実行するための番組実行プログラムと、当該データ放送番組を構成する番組構成データとを所定送出単位ごとに送出する送出手段を備えており、受信システムは、カードライタ、送出システムから送出される信号を受信し、受信した信号に含まれている番組実行プログラムと番組構成データとを記憶装置に格納する手段、および記憶装置に格納された番組実行プログラムおよび番組構成データに基づいて、データ放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」と訂正する。
４．特許第３１８６５６５号発明の明細書中段落【００４４】における「この発明による・・・に関連した内容の多重放送番組を・・・を備えており、受信システムは、送出システムから・・・に格納する手段、・・・の進行に応じて実行させる手段を備えていることを特徴とする。」を、明りょうでない記載の釈明を目的として、「この発明による多重放送システムは、送出システムと受信システムとを備えた多重放送システムにおいて、送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出する送出手段を備えており、受信システムは、カードライタ、送出システムから送出される多重信号を受信し、受信した多重信号に含まれている番組実行プログラムと番組構成データとを記憶装置に格納する手段、および記憶装置に格納された番組実行プログラムおよび番組構成データに基づいて、多重放送番組を上記所定の放送番組の進行に応じて実行させる手段を備えており、番組実行プログラムは、それによって提示する質問に対するユーザの回答を、受信システムに設けられたカードライタによってカードに印刷させるためのプログラムを含んでいることを特徴とする。」と訂正する。
５．特許第３１８６５６５号発明の明細書中段落【００４６】における「この発明による・・・に関連した内容の多重放送番組を・・・送出し、・・・の進行に応じて実行させることを特徴とする。」を、明りょうでない記載の釈明を目的として、「この発明による多重放送システムの番組放送方法は、送出システムと受信システムとを備えた多重放送システムの番組放送方法において、送出システムは、多重放送以外の所定の放送番組の進行に関連した質問を含むクイズ形式の多重放送番組を実行するための番組実行プログラムと、当該多重放送番組を構成する番組構成データとを所定送出単位ごとに多重信号として送出し、受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、受信システムにカードライタを設けておくとともに、番組実行プログラムに、それによって提示する質問に対するユーザの回答を、受信システムに設けられたカードライタによってカードに印刷させるためのプログラムを含ませていることを特徴とする。」と訂正する。
（５４）【発明の名称】
データ放送システム、データ放送システムにおける受信システム、多重放送システムおよび多重放送システムの番組放送方法
（５７）【特許請求の範囲】
　【請求項１】　データ放送以外の所定の放送番組の進行に関連した
質問を含むクイズ形式
　
カードライタ、
　
番組実行プログラムは、それによって提示する質問に対するユーザの回答を、受信システムに設けられたカードライタによってカードに印刷させるためのプログラムを含んでいる
　【請求項２】　送出システムと受信システムとを備えたデータ放送システムにおいて、
　送出システムは、データ放送以外の所定の放送番組の進行に関連した
質問を含むクイズ形式
　受信システムは、
カードライタ、
　
番組実行プログラムは、それによって提示する質問に対するユーザの回答を、受信システムに設けられたカードライタによってカードに印刷させるためのプログラムを含んでいる
　【請求項３】　送出システムと受信システムとを備えた多重放送システムにおいて、
　送出システムは、多重放送以外の所定の放送番組の進行に関連した
質問を含むクイズ形式
　受信システムは、
カードライタ、
　
番組実行プログラムは、それによって提示する質問に対するユーザの回答を、受信システムに設けられたカードライタによってカードに印刷させるためのプログラムを含んでいる
　【請求項４】　送出システムと受信システムとを備えた多重放送システムの番組放送方法において、
　送出システムは、多重放送以外の所定の放送番組の進行に関連した
質問を含むクイズ形式
　受信システムは、送出システムから送出される多重信号を受信して、受信した多重信号に含まれている番組実行プログラムと番組構成データとを記憶装置に格納し、記憶装置に格納された番組実行プログラムおよび番組構成データに基づいて、多重放送番組を上記所定の放送番組の進行に応じて実行させ、
　
受信システムにカードライタを設けておくとともに、番組実行プログラムに、それによって提示する質問に対するユーザの回答を、受信システムに設けられたカードライタによってカードに印刷させるためのプログラムを含ませている
【発明の詳細な説明】
　【０００１】
　【発明の属する技術分野】
　この発明は、データ放送システム、データ放送システムにおける受信システム、多重放送システムおよび多重放送システムの番組放送方法に関する。
　【０００２】
　【従来の技術】
　ＦＭ多重放送は、音声、文字、図形などをステレオ音声とともに放送するものである。つまり、通常のＦＭ放送に、音声、文字、図形を多重して放送するものである。
　【０００３】
　ＦＭ多重放送の規格の代表的なものには、ＤＡＲＣ（Ｄａｔａ　Ｒａｄｉｏ　Ｃｈａｎｎｅｌ）、固定受信方式およびＲＤＳ（Ｒａｄｉｏ　Ｄａｔａ　Ｓｙｓｔｅｍ）の３方式がある。この中でＤＡＲＣは最も新しく、国際標準規格として採用されている。ＤＡＲＣは、ＩＴＵ−Ｒ（Ｉｎｔｅｒｎａｔｉｏｎａｌ　Ｔｅｌｅｃｏｍｍｕｎｉｃａｔｉｏｎ　Ｕｎｉｏｎ）の勧告８０７「データ放送の参照モデル」に従って記述されている。
　【０００４】
　ＤＡＲＣは、文字や図形をディジタル情報に変換し、副搬送波周波数７６ｋＨｚを変調してステレオベースバンド信号に周波数多重し、ＦＭ変調して放送するものである。
　【０００５】
　図１６は、ＤＡＲＣの文字・図形の符号化方式を表す階層構造を示している。
　【０００６】
　階層１においては、伝送路特性が指定されている。通常のＦＭステレオ放送信号であるＬ＋Ｒ信号およびＬ−Ｒ信号よりも高周波側に、多重信号が重畳される。この重畳方式は、多重信号から音声信号への妨害が音声変調度が小さいときに顕著となることを考慮して、Ｌ−Ｒ信号の変調度により多重信号のレベルをコントロールするＬＭＳＫ（Ｌｅｖｅｌ　Ｃｏｎｔｒｏｌｌｅｄ　Ｍｉｎｉｍｕｍ　Ｓｈｉｆｔ　Ｋｅｙｉｎｇ）方式が採用されている。
　【０００７】
　階層２は、誤り訂正方式を含む、データのフレーム構成が規定されている。各フレームは、列方向に２７２ブロックからなり、先頭には１６ビットのブロック識別符号（ＢＩＣ：Ｂｌｏｃｋ　Ｉｄｅｎｔｉｆｉｃａｔｉｏｎ　Ｃｏｄｅ）が付加され、このブロック識別符号に基づいてフレーム同期およびブロック同期が行なわれる。列方向の２７２ブロックのうち、１９０ブロックはデータを伝送するパケットであり、８２ブロックは列方向のパリティを伝送するパリティパケットである。各パケットは、行方向に１７６ビットのデータ部、誤り検出符号である１４ビットのＣＲＣ（Ｃｙｃｌｉｃ　Ｒｅｄｕｎｄａｎｃｙ　Ｃｏｄｅ）および８２ビットのパリティ部より構成されている。
　【０００８】
　送信データは、この１フレームを基本単位として、この階層の段階でまず誤り訂正が行なわれる。なお、実際には、図１７に示すように、縦方向にはパケットとパリティパケットとが所定の順序に並び替えられたフレーム構成で送信データが送出される。
　【０００９】
　階層３は、データパケットの構成を規定している。データパケットは、フレーム内の各行のうち、ＢＩＣ、ＣＲＣおよびパリティを除いた１７６ビットからなる。データパケットは、プリフィックスとデータブロックで構成されている。
　【００１０】
　階層４は、データグループの構成を示している。データグループは、１または複数のデータブロックで構成されている。このデータグループにも誤り検出符号であるＣＲＣが含まれ、送信データはこの階層においても誤り検出が行なわれる。１つのデータグループは、１ページのデータに対応している。
　【００１１】
　階層５は、ＦＭ多重放送により伝送される１まとまりの情報、すなわち、番組データの構成を規定する。
　【００１２】
　図１８は、階層３のデータパケットの構成を示している。
　【００１３】
　データパケット内のプリフィックスには、サービス識別符号が含まれている。このサービス識別符号は、表１に示すように、ｂ１〜ｂ４の４ビットからなり、番組内容（一般情報、交通情報、付加情報、補助情報、運用信号）の識別を行なう。
　【００１４】
　【表１】
　【００１５】
　図１９は、階層５の番組データの構成を示している。
　【００１６】
　番組データは、複数のデータグループから構成されている。先頭のグループは、番組の番号、ページ総数など番組全体にかかる情報を含む番組管理データである。２番目以降のグループは、ページデータである。各ページデータには、１ページごとのデータが含まれている。
　【００１７】
　番組管理データは、番組データヘッダと、１または複数の番組管理データのデータユニット（データユニット群）から構成されいる。また、各ページデータは、ベージデータヘッダと、１または複数のページデータのデータユニット（データユニット群）から構成されいる。
　【００１８】
　図２０は、番組データヘッダの構成を示している。
　【００１９】
　番組データヘッダは、データヘッダ識別符号と、データヘッダデータとからなる。データヘッダデータは、番組番号、ページ総数、提示機能、情報種別、表示フォーマットおよび番組内容更新フラグからなる。
　【００２０】
　番組番号は、８ビットからなり、番組の番号をバイナリー値で示す。番組番号は、０〜２５５までである。つまり、１つのサービス識別符号（図１８参照）に対して最大２５６種類の番組を放送できるようになっている。
　【００２１】
　番組内容更新フラグは２ビットからなり、番組単位の更新を示す。更新する毎に２ビットでインクリメントされる。つまり、００→０１→１１→００のように繰り返される。
　【００２２】
　ページ総数は６ビットからなり、番組を構成するページ数をバイナリー値で示す。番組管理データを除いたページの総数が示される。ページ総数は、０〜６３までであり、ページ総数が０の場合は、ページデータがないことを示す。つまり、１番組の最大ページ数は、６３となる。
　【００２３】
　提示機能は、８ビットからなり、番組に含まれる符号の種類および提示の種類を示す。情報種別は、４ビットからなり、番組内容のジャンル識別を行なう。表示フォーマットは、４ビットからなり、表示モードの指定を行なう。
　【００２４】
　図２１は、番組管理データのデータユニットの構成を示している。
　【００２５】
　番組管理データのデータユニットは、データユニットの種別を示すデータユニット識別符号と、データユニット間の連結を示すデータユニットリングフラグ（ＤＵＬ）と、データユニット長を示すデータユニットサイズと、データユニット長で示したデータ数のデータからなるデータユニットデータとを含んでいる。
　【００２６】
　図２２は、ページデータヘッダの構成を示している。
　【００２７】
　ページデータヘッダは、データヘッダ識別符号と、データヘッダデータとからなる。データヘッダデータは、番組番号、ページ番号、提示機能、情報種別、表示フォーマットおよびページ内容更新フラグからなる。
　【００２８】
　番組番号、提示機能、情報種別および表示フォーマットは、番組管理データヘッダの番組番号、提示機能、情報種別および表示フォーマットと同じである。
　【００２９】
　ページ内容更新フラグは２ビットからなり、ページ毎の内容の更新を示す。更新する毎に２ビットでインクリメントされる。つまり、００→０１→１１→００のように繰り返される。
　【００３０】
　ページ番号は６ビットからなり、番組のページをバイナリー値で示す。提示機能は、８ビットからなり、番組に含まれる符号の種類および提示の種類を示す。
　【００３１】
　図２３は、ページデータのデータユニットの構成を示している。
　【００３２】
　ページデータのデータユニットは、データユニットの種別を示すデータユニッ卜識別符号と、データユニット間の連結を示すデータユニットリングフラグ（ＤＵＬ）と、データユニット長を示すデータユニットサイズと、データユニット長で示したデータ数のデータからなるデータユニットデータとを含んでいる。
　【００３３】
　【発明が解決しようとする課題】
　本出願人は、ＦＭ多重放送の規格であるＤＡＲＣに適合し、かつ現在行なわれているＦＭ多重放送番組とは趣を異にするＦＭ多重放送番組の開発を進めた。一例を挙げると、テレビ放送、ＦＭ放送等の多重放送以外の放送で提供されるスポーツ番組の進行に関連したクイズ番組をリアルタイムでＦＭ多重放送で放送する。この際、番組を実行するための番組実行プログラムと番組を構成する番組構成データ（文字、図形、音声等のデータ）との両方を、ＦＭ多重放送で送出する。
　【００３４】
　クイズ番組で提示されたクイズに対する答えをユーザに入力させ、この後、正解をＦＭ多重放送で放送する。そして、回答結果を受信端末においてカード等に記録し、当該カードをユーザがコンビニエンスストア等に提示することにより、所定のサービスをユーザが受けられるようにする。
　【００３５】
　たとえば、ラジオ放送で音楽番組が放送されている場合に、ＦＭ多重放送によって「この歌を歌っている歌手は誰？」という質問と、「（１）歌手名１、（２）歌手名２、（３）歌手名３」という選択枝とを表示する。
　【００３６】
　あるいは、テレビ放送で野球中継番組が放送されている場合に、ＦＭ多重放送によって「バッターは、出塁できるでしょうか？」という質問と、「（１）ヒット、（２）ホームラン、（３）アウト」という選択枝とを表示する。
　【００３７】
　また、多重放送以外の放送とは無関係なクイズ番組をＦＭ多重放送によって放送することも考えられる。
　【００３８】
　このようなＦＭ多重放送を行なう際の課題として、次のようなものがあった。
（ａ）送出したプログラムによって実行される番組を多重放送で提供すること。特に、多重放送以外の放送番組の進行と関連した内容の番組を多重放送で提供すること。
（ｂ）番組数を多くすること。従来は、最大番組数は、２５６であった。
（ｃ）１画面のデータ数は少なくてもよいが、１番組内の画面数を多くすること。従来は、１ページデータ＝１画面データであり、１番組の最大画面数は、６４画面であった。
（ｄ）複数種類のコマーシャル画面からなるコマーシャル番組を予め送信して端末機にストアしておき、他の番組で表示される所定の画面の後に、所定数のコマーシャル画面を割り込ませて表示させる。言い換えれば、任意の番組で表示されている画面の後に、他の番組の画面を割り込ませて表示させる。
　【００３９】
　この発明は、送出したプログラムによって実行される番組を提供できるデータ放送システムおよびデータ放送システムにおける受信システムを提供することを目的とする。
　【００４０】
　この発明は、送出したプログラムによって実行される番組を多重放送で提供できる多重放送システムおよび多重放送システムの番組放送方法を提供することを目的とする。
　【００４１】
　また、この発明は、送出したプログラムによって実行される番組であって、かつ多重放送以外の放送番組の進行と関連した内容の番組を多重放送で提供できる多重放送システムおよび多重放送システムの番組放送方法を提供することを目的とする。
　【００４２】
　【課題を解決するための手段】
　この発明によるデータ放送システムにおける受信システムは、データ放送以外の所定の放送番組の進行に関連した
質問を含むクイズ形式
カードライタ、
番組実行プログラムは、それによって提示する質問に対するユーザの回答を、受信システムに設けられたカードライタによってカードに印刷させるためのプログラムを含んでいる
　【００４３】
　この発明によるデータ放送システムは、送出システムと受信システムとを備えたデータ放送システムにおいて、送出システムは、データ放送以外の所定の放送番組の進行に関連した
質問を含むクイズ形式
カードライタ、
番組実行プログラムは、それによって提示する質問に対するユーザの回答を、受信システムに設けられたカードライタによってカードに印刷させるためのプログラムを含んでいる
　【００４４】
　この発明による多重放送システムは、送出システムと受信システムとを備えた多重放送システムにおいて、送出システムは、多重放送以外の所定の放送番組の進行に関連した
質問を含むクイズ形式
カードライタ、
番組実行プログラムは、それによって提示する質問に対するユーザの回答を、受信システムに設けられたカードライタによってカードに印刷させるためのプログラムを含んでいる
　【００４５】
　【００４６】
　この発明による多重放送システムの番組放送方法は、送出システムと受信システムとを備えた多重放送システムの番組放送方法において、送出システムは、多重放送以外の所定の放送番組の進行に関連した
質問を含むクイズ形式
受信システムにカードライタを設けておくとともに、番組実行プログラムに、それによって提示する質問に対するユーザの回答を、受信システムに設けられたカードライタによってカードに印刷させるためのプログラムを含ませている
　【００４７】
　【００４８】
　【発明の実施の形態】
　以下、図面を参照して、この発明の実施の形態について説明する。
　【００４９】
〔１〕送出システムの説明
　【００５０】
　図１は、放送局側に設けられた送出システムの構成を示している。
　【００５１】
　この送出システムは、従来から放送されてきたＦＭ多重放送番組（以下、一般ＦＭ多重放送番組という）の他に、一般ＦＭ多重放送番組とはサービス種別の異なるＦＭ多重放送番組（以下、特定ＦＭ多重放送番組という）を送出できる機能を有している。
　【００５２】
　特定ＦＭ多重放送番組によって提供される番組には、クイズ番組、ゲーム番組のようにその番組を実行するための番組実行プログラム（以下、単にプログラムという）およびその番組を構成する番組構成データ（文字、図形等のデータ）の両方が送出されるプログラム型番組、天気予報、後述するコマシャール番組等の情報サービス番組がある。
　【００５３】
　また、プログラム型番組には、テレビ放送、ＦＭ放送等の多重放送以外の放送番組の進行に応じて番組データが所定送出単位ごとに送出される番組連動プログラム型番組と、多重放送以外の放送番組の進行に無関係に番組データが所定送出単位で順次送出される蓄積プログラム型番組とがある。
　【００５４】
　ＦＭ放送番組制作・送出装置１１は、ＦＭ放送番組を制作して送出する。一般番組入力端末１２は、一般ＦＭ多重放送番組のデータを入力するためのものである。一般番組編成送出制御部１３は、一般番組入力端末１２から入力されたデータを編成して、一般ＦＭ多重放送番組を編成するとともに編成データを伝送フォーマットの形に成形して送出する。
　【００５５】
　特定番組入力端末１４は、特定ＦＭ多重放送番組のデータを入力するためのものである。特定番組編成送出制御部１５は、特定番組入力端末１４から入力されたデータを編成して、特定ＦＭ多重放送番組を編成するとともに編成データを伝送フォーマットの形に成形して送出する。
　【００５６】
　合成送出制御部１６は、一般番組編成送出制御部１３から送出された一般ＦＭ多重放送番組と、特定番組編成送出制御部１５から送出された特定ＦＭ多重放送番組とを合成して送出する。
　【００５７】
　ＬＭＳＫ変調器１７は、合成送出制御部１６から送出された多重信号をＦＭ放送番組制作・送出装置１１から送出される音声信号のレベルに合わせてＬＭＳＫ変調する。
　【００５８】
　加算器１８は、ＦＭ放送番組制作・送出装置１１の出力とＬＭＳＫ変調器１７の出力とを加算する。ＦＭ変調器１９は、加算器１８の出力をＦＭ変調する。送信機２０は、ＦＭ変調器１９の出力を送信する。
　【００５９】
〔２〕受信システムの説明
　【００６０】
　図２は、受信システムの外観を示している。
　【００６１】
　受信システムは、受信装置２１と、リモートコントローラ２２とを備えている。受信装置２１の前面には、ＦＭ多重放送によって送られてきた文字・図形を表示するための蛍光表示管等のディスプレイ３１、カード３０を挿入したり排出したりするためのカード挿入・排出口３２、各種の表示灯、各種の操作キーなどが設けられている。リモートコントローラ２２は、受信装置２１を遠隔操作するためのものである。
　【００６２】
　図３は、受信装置２１の電気的構成を示している。
　【００６３】
　ここでは、説明の便宜上、受信装置２１は、一般ＦＭ多重放送番組および特定ＦＭ多重放送番組のうち、特定ＦＭ多重放送番組のみをストアしてディスプレイに表示するものであるとする。
　【００６４】
　音声信号は、ＦＭチューナ４１の出力信号からＬＰＦ（ローパスフィルタ）４２により高周波成分が取り除かれた後、アンプ４３およびスピーカ４４を通して再生される。
　【００６５】
　多重信号は、ＦＭチューナ４１の出力信号から、バンドパスフィルタ（ＢＰＦ）４５で音声成分と雑音成分とが除去され、多重信号（ＬＭＳＫ信号）が抽出される。抽出された多重信号は、ＬＭＳＫ復調回路４６によってＭＳＫ復調される。
　【００６６】
　ＬＭＳＫ復調回路４６によって得られた信号は、誤り訂正回路４７に送られ、誤り訂正が行なわれる。この誤り訂正の後、得られたデータは一旦、第１ＲＡＭ５３に蓄積される。この後、ＣＰＵ５０は、第１ＲＡＭ５３内に蓄積されたデータから、特定ＦＭ多重放送番組のみを選択し、各番組ごとにデータを再編成し、第２ＲＡＭ５４に記憶させる。ＲＯＭ５１は、ＣＰＵ５０のプログラム等を記憶している。また、漢字ＲＯＭ５２は、ディスプレイ３１に表示されるフォントを記憶している。
　【００６７】
　効果音発生部４８は、予め定められた複数種類の効果音の音声信号を発生するものであり、ＣＰＵ５０による命令によって指定された種類の効果音の音声信号を指定された時間だけ出力する。効果音発生部４８から出力された音声信号は、アンプ４３およびスピーカ４４を介して出力される。
　【００６８】
　カードリーダ５５は、カード挿入・排出口３２に挿入されたカード３０に記録されている二次元バーコードを読み取るためものである。カードライタ５６は、カード挿入・排出口３２に挿入されたカード３０に、二次元バーコードまたは文字を書き込むためのものである。カード３０に記録されるまたは予め記録されているバーコード情報としては、受信装置２１を使用するユーザに関する個人情報、クイズ番組に対する回答結果等を示す情報、番組を指定する情報等がある。
　【００６９】
　赤外線センサ５７は、リモートコントローラ２２から送出された赤外線を受光して電気信号に変換するものである。
　【００７０】
　ユーザが、リモートコントローラ２２を操作することにより、または番組指定情報が記録されたカード３０を挿入することによって番組が選択されると、ＣＰＵ５０は、選択された番組のデータを復号して、ディスプレイ３１に表示する。なお、選択された番組が番組データ内にプログラムを含んでいるプログラム型番組である場合には、ＣＰＵ５０は、そのプログラムに従って、当該番組を実行する。
　【００７１】
〔３〕データパケットおよび番組データについて
　【００７２】
　上述したように、データパケット内のプリフィックス（図１８参照）内には、サービス識別符号が含まれている。特定ＦＭ多重放送に対しては、サービス識別符号は、一般ＦＭ多重放送に既に割り当てられているコード（表１参照）とは異なるコード、たとえば、”０１１１”（＝７Ｈ）が割り当てられる。したがって、特定ＦＭ多重放送番組に対するデータパケット内のプリフィックス内のサービス識別符号は、”０１１１”となる。
　【００７３】
　また、上述したように、番組データ（図１９参照）は、番組管理データと、１または複数のページデータから構成されている。番組管理データは、番組データヘッダと、１又は複数の番組管理データのデータユニットから構成されている。ページデータは、ページデータヘッダと、１又は複数のページデータのデータユニットから構成されている。そして、上述したように、番組データヘッダ（図２０参照）およびページデータヘッダ（図２２参照）内には、番組内容のジャンル識別を行なうための情報種別が含まれている。
　【００７４】
　特定ＦＭ多重放送に対しては、情報種別は、一般ＦＭ多重放送に既に割り当てられているコードとは異なるコード、たとえば、”００１０”（＝２Ｈ）が割り当てられている。したがって、番組データにおける番組データヘッダおよびぺージデータヘッダ内の情報種別は、”００１０”となる。
　【００７５】
　また、上述したように、番組管理データのデータユニット（図２１参照）およびページデータのデータユニット（図２３参照）内には、データユニットパラメータが含まれている。特定ＦＭ多重放送でプログラム型番組を提供できるようにするために、データユニットパラメータとして、プログラム型番組の管理データを表すパラメータＰａ（たとえば、６０ｈ）、プログラム型番組のプログラムを表すパラメータＰｂ（たとえば、６１ｈ）およびデータ（文字、図形データ等）を表すパラメータＰｃ（たとえば、６２ｈ）が追加される。
　【００７６】
　つまり、プログラム型番組の管理データが含まれている番組管理データのデータユニットにおいては、そのデータユニットパラメータとしてパラメータＰａが入れられる。また、プログラム型番組のプログラムが含まれているページデータのデータユニットにおいては、そのデータユニットパラメータとしてパラメータＰｂが入れられる。また、プログラム型番組または情報サービス番組の文字、図形データが含まれているページデータのデータユニットにおいては、そのデータユニットパラメータとしてパラメータＰｃが入れられる。
　【００７７】
　図４は、データユニットパラメータがプログラム型番組の管理データを示すパラメータＰａである番組管理データのデータユニット内のデータユニットデータの構成を示している。
　【００７８】
　このデータユニットデータは、種別コード（副番組コード）と、それに続く１または複数のセグメントとからなる。種別コードは、番組番号（以下、主番組番号という）（図２０および図２２参照）を細分化するためのコードであり、２バイト（１６ビット）で表される。つまり、種別コードは、１つの主番組番号に対して、複数の副番組番号を設定できるようにしたものである。種別コードは、１６ビットで表されるので、各主番組番号に対して、０〜６５５３５の副番組番号を設定できるようになり、大幅に番組数を増加させることができる。
　【００７９】
　各セグメントは、セグメント長、番組制御番号およびパラメータから構成される。番組制御情報には、動作モード、プログラム開始年月日、プログラム締切年月日、プログラム消去年月日、コマーシャルデータ有効期間等がある。動作モードには、番組連動モード、蓄積モード、情報サービスモード等があり、これらの指定はセグメント内のパラメータによって指定される。
　【００８０】
　番組連動モードは、番組連動プログラム型番組に対するデータユニットデータにおいて指定される。蓄積モードは、蓄積プログラム型番組に対するデータユニットデータにおいて指定される。情報サービスモードは、情報サービス番組に対するデータユニットデータにおいて指定される。
　【００８１】
　図５は、データユニットパラメータが、プログラム型番組のプログラムを示すパラメータＰｂであるページデータのデータユニット（以下、プログラムユニットという）内のデータユニットデータの構成を示している。
　【００８２】
　プログラムユニット内のデータユニットデータは、番組番号を細分化するための種別コードと、番組番号と種別コードによって規定された番組の内容を区切るためのモジュール番号と、それに続く１または複数のセグメントとからなる。各セグメントには、プログラムが含まれている。つまり、各セグメントは、セグメントの長さを表すセグメント長、プログラムの行番号を示す行番号、プログラムコマンドの内容を示すコマンド番号、および引数からなる。
　【００８３】
　図６は、データユニットパラメータが、データを示すパラメータＰｃであるページデータのデータユニット（以下、画面データユニットという）内のデータユニットデータの構成を示している。
　【００８４】
　画面データユニット内のデータユニットデータは、番組番号を細分化するための種別コードと、番組番号と種別コードによって規定された番組の内容を区切るためのモジュール番号と、それに続く１または複数のセグメントとからなる。各セグメントは、セグメントの長さを表すセグメント長、１画面分データからなる。
　【００８５】
　したがって、特定ＦＭ多重放送番組においては、番組データ内の各ページデータ内の各画面データユニットに、１又は複数の画面データが含まれる。つまり、一般ＦＭ多重放送番組においては、番組データ内の各ページデータ内に１ページすなわち、１画面分のデータが含まれていたが、特定ＦＭ多重放送番組においては、番組データ内の各ページデータ内に、１画面のデータ数は少ないが、多数画面分のデータを含めることができる。
　【００８６】
〔４〕番組連動型プログラム番組のデータ送出についての説明
　【００８７】
　図７は、番組連動型プログラム番組のデータが送出される様子を示している。
　送出単位は、１つのモジュール単位または複数のモジュール単位とされる。ここでは、送出単位は、１つのモジュール単位であるとする。したがって、１単位の送出データは、１つの番組管理データ（番組データヘッダおよびデータユニットデータを含む）と、１つのページデータ（ページデータヘッダならびに１つのモジュール番号に対応するプログラムユニットおよび画面データユニットを含む）とからなる。
　【００８８】
　番組連動型プログラム番組のデータを送出する場合には、番組データヘッダ内の内容更新フラグ（図２０参照）およびページデータヘッダの内容更新フラグ（図２２参照）は、送出単位の内容が異なるごとに更新される。ただし、各送出単位は、更新フラグを変えずに２〜３回連続して送出される。
　【００８９】
〔５〕蓄積型プログラム番組のデータ送出についての説明
　【００９０】
　図８は、蓄積型プログラム番組のデータが送出される様子を示している。
　送出単位は、１つのモジュール単位または複数のモジュール単位とされる。ここでは、送出単位は、１つのモジュール単位であるとする。ただし、番組管理データは、最初のみ送出される。したがって、最初の１単位の送出データは、１つの番組管理データ（番組データヘッダおよびデータユニットデータを含む）と、１つのページデータ（ページデータヘッダならびに１つのモジュール番号に対応するプログラムユニットおよび画面データユニットを含む）とからなる。２番目以降の送出単位は、１つのページデータ（ページデータヘッダならびに１つのモジュール番号に対応するプログラムユニットおよび画面データユニットを含む）とからなる。
　【００９１】
　蓄積型プログラム番組のデータを送出する場合には、ページデータヘッダの内容更新フラグ（図２２参照）は、送出単位の内容が変わっても更新されない。ただし、各送出単位は、更新フラグを変えずに２〜３回連続して送出される。
　【００９２】
〔６〕情報サービス番組のデータ送出についての説明
　【００９３】
　図９は、情報サービス番組のデータが送出される様子を示している。
　送出単位は、１つのモジュール単位または複数のモジュール単位とされる。ここでは、送出単位は、１つのモジュール単位であるとする。１単位の送出データは、１つの番組管理データ（番組データヘッダおよびデータユニットデータを含む）と、１つのページデータ（ページデータヘッダならびに１つのモジュール番号に対応する画面データユニットを含む）とからなる。
　【００９４】
　情報サービス番組のデータを送出する場合には、番組データヘッダ内の内容更新フラグ（図２０参照）およびページデータヘッダの内容更新フラグ（図２２参照）は、送出単位の内容が異なるごとに更新される。ただし、各送出単位は、更新フラグを変えずに２〜３回連続して送出される。
　【００９５】
〔７〕送出システムの特定番組編成送出制御部１５による編集送出処理の説明
　【００９６】
　図１０は、図１に示す送出システムの特定番組編成送出制御部１５の編集送出処理手順を示している。
　【００９７】
　手入力によってまたは時間に基づいて次の送出指示が入力される毎に（ステップ１）、次の１送出単位分のデータが編集される（ステップ２）。そして、編集された１送出単位分の送出データが２〜３回連続して送出される（ステップ３）。そして、送出すべきデータが全て送出されると（ステップ４）、処理は終了する。
　【００９８】
〔８〕受信システムのＣＰＵ５０による番組データ格納処理の説明
　【００９９】
　図１１は、受信装置２１の第１ＲＡＭ５３に一旦格納され、サービス識別符号によって特定ＦＭ多重放送番組と判定されたデータに対して行なわれる番組データ格納処理を示している。図１１では、内容更新フラグが更新されたデータ（新規データを含む）に対する処理を示している。
　【０１００】
　まず、データユニット（番組管理データのデータユニットまたはベージデータのデータユニット）が１つ取り出される（ステップ１１）。取り出されたデータユニットが番組管理データのデータユニットか否かが判定される（ステップ１２）。取り出されたデータユニットが番組管理データのデータユニットでない場合には、番組の最初または送出単位の最初からデータを取り出すことができなかったと判断され、取り出されたデータユニットに連続したデータユニットのうち、内容更新フラグが同じデータユニットが破棄される（ステップ１９）。そして、ステップ１１に戻る。
　【０１０１】
　ステップ１１で取り出されたデータユニットが番組管理データのデータユニットである場合には、取り出された番組管理データのデータユニットの内容がチェックされ（ステップ１３）、当該受信装置（端末）２１によって当該番組を受信できるか否かが判定される（ステップ１４）。当該受信装置によって当該番組を受信できないと判定された場合には、ステップ１９に移行し、取り出されたデータユニットに連続したデータユニットのうち、内容更新フラグが同じデータユニットが破棄される。そして、ステップ１１に戻る。
　【０１０２】
　ステップ１４において、当該受信装置２１によって当該番組を受信できると判定された場合には、取り出された番組管理データのデータユニットの内容が第２ＲＡＭ５４に格納される（ステップ１５）。
　【０１０３】
　そして、取り出された番組管理データのデータユニットに関連したページデータのデータユニット（プログラムデータユニットまたは画面データユニット）が存在するか否かが判定される（ステップ１６）。取り出すページデータのデータユニットが存在する場合には、ページデータのデータユニットが１個取り出される（ステップ１７）。そして、取り出されたページデータのデータユニットの内容が第２ＲＡＭ５４に格納される（ステップ１８）。
　【０１０４】
　そして、ステップ１６に戻り、さらに、ページデータのデータユニットが存在する場合には、ステップ１７、１８の処理が繰り返される。このようにして、内容更新フラグが更新されたデータ（新規データを含む）が第２ＲＡＭ５４に格納される。
　【０１０５】
　ステップ１６において、ページデータのデータユニットが存在しないと判定されると、ステップ１１に戻る。
　【０１０６】
〔９〕受信システムのＣＰＵ５０によるプログラム型番組実行処理の説明
　【０１０７】
　図１２は、ユーザによってプログラム型番組のチャンネルが指定された場合に受信システムのＣＰＵ５０が行なう番組実行処理手順を示している。
　【０１０８】
　ユーザによってプログラム型番組のチャンネルが指定されると、第２ＲＡＭ５４に格納されている番組管理データのデータユニットの内容中のプログラム開始年月日等がチェックされ（ステップ２１）、当該番組を実行できるか否かが判定される（ステップ２２）。
　【０１０９】
　当該番組が実行できると判定された場合には、第２ＲＡＭ５４に当該番組のプログラムコマンドが格納されているか否かが判定される（ステップ２３）。プログラムコマンドが格納されている場合には、１行分のコマンドが取り出される（ステップ２４）。取り出されたコマンドが終了コマンドでなければ（ステップ２５）、取り出されたコマンドが実行される（ステップ２６）。そして、ステップ２３に戻る。
　【０１１０】
　ステップ２３において、当該番組のプログラムコマンドが第２ＲＡＭ５４に格納されていないと判定された場合には、第２ＲＡＭ５４に当該番組のプログラムコマンドが格納されるのを待つ。一定時間が経過する前に、第２ＲＡＭ５４に当該番組のプログラムコマンドが格納された場合には（ステップ２７でＮＯ、ステップ２３でＹＥＳ）、ステップ２４に進んで１行分のコマンドが取り出される。一定時間が経過しても第２ＲＡＭ５４にコマンドが格納されない場合には（ステップ２７でＹＥＳ）、エラーメッセージがディスプレイ３１に表示され（ステップ２８）、当該番組の実行処理が終了する。
　【０１１１】
　ステップ２５において、ステップ２３で取り出されたコマンドが終了コマンドであると判定された場合には、当該番組の実行処理が終了する。
　【０１１２】
〔１０〕　番組連動プログラム型番組の具体例の説明
　【０１１３】
　図１３は、番組連動プログラム型番組の一例を示している。この番組連動プログラム型番組は、テレビの野球中継番組に連動して実行される。図１３には、当該番組を実行するためのプログラム、当該番組で表示される画面データ及び全体フローが示されている。
　【０１１４】
　まず、図１３に示されている各プログラムコマンドについて簡単に説明する。以下に示すプログラムコマンドに於いて、括弧内は、引き数を示している。
　【０１１５】
（１）ＤＩＳＰ（モジュール番号），（項目番号），（表示秒数），（表示属性）
　内容：受信した１画面分のデータを表示するためのコマンド。
　モジュール番号：表示するデータのモジュール番号
　項目番号：表示するデータの項目番号
　表示秒数：データの表示秒数
　表示属性：データの表示属性（通常表示、スクロール、幕開け、文字落下等）
　【０１１６】
（２）ＳＯＵＮＤ（種類），（音量），（繰り返し回数）
　内容：効果音を出力するためのコマンド。
　種類：効果音の種類
　音量：効果音の音量
　繰り返し回数：効果音の繰り返し回数
　【０１１７】
（３）ＩＮＰＵＴＧ（変数），（桁数），（（ＦＲＯＭ）番号），（（ＴＯ）番号），（エラー値），（カウントダウン秒数），（モジュール番号），（（ＦＲＯＭ）項目番号），（（ＴＯ）項目番号），（表示秒数），（表示属性）
　内容：受信した１又は複数画面分のデータを表示しつつ、入力された数値を格納するコマンド。
　変数：入力結果を格納する変数名（たとえばＫ％）
　桁数：最大入力桁数
　（ＦＲＯＭ，ＴＯ）番号：入力範囲
　エラー値：カウントダウン後に有効番号が入力されなかった場合にセット
　カウントダウン秒数：入力待機時間
　モジュール番号：表示するデータのモジュール番号
　項目番号：表示するデータの項目番号
　表示秒数：データの表示秒数
　表示属性：データの表示属性
　【０１１８】
　（４）ＯＮＧＯＴＯ（変数），（行１），（行２）…
　内容：与えられた変数の内容に応じて与えられた行に分岐するコマンド。与えられた変数が１なら行１に、変数が２なら行２に分岐する。
　【０１１９】
　（５）ＧＯＴＯ（行番号）
　内容：指定された行に分岐するコマンド。
　【０１２０】
（６）ＦＩＥＬＤＢ（フィールド変数），（桁長），（変数１），（桁長），（変数２）…
　内容：二次元バーコードの印字フィールドを定義するコマンド。
　フィールド変数：定義する印字フィールド変数名（たとえば、Ａ＆）
　桁長：セットする変数のバイト長
　変数：フィールドとして定義する変数名（たとえば、Ｋ％）
　【０１２１】
（７）ＰＵＴＢ（フィールド変数），
　内容：二次元バーコードを印字するコマンド。
　【０１２２】
（８）ＬＬＯＣＡＴＥ（Ｘ位置），（Ｙ位置）
　内容：印字位置を指定するコマンド。
　Ｘ位置：印字を開始するＸ位置
　Ｙ位置：印字を開始するＹ位置
　【０１２３】
（９）ＶＳＥＴ（変数１），（変数２）
　内容：変数２の内容を変数１にコピーするコマンド。たとえば、数値型変数を文字型変数（印字データ）に変換するために使用される。
　【０１２４】
（１０）ＬＰＲＩＮＴ（文字列型変数），
　内容：文字列型変数をカードに印字するコマンド。
　【０１２５】
（１１）ＥＮＤＣ
　内容：プログラムを終了するコマンド。
　プログラムコマンドは、上記の他、多数存在するが、それらの説明は省略する。
　【０１２６】
　図１３を参照して、番組連動型プログラム型番組の実行処理について説明する。
　【０１２７】
　まず、当該番組の開始時刻になると、番組開始の表示が行なわれる（ステップ３１）。番組開始の表示は、既に受信して第２ＲＡＭ５４に格納されているモジュール番号１のプログラムおよび画面データに基づいて行なわれる。図１３において、〔ａ，ｂ〕のａは、モジュール番号を、ｂは項目番号を示している。
　【０１２８】
　ステップ３１では、１００１行のＤＩＳＰコマンドに基づいて画面データ〔１，１〕の”プロ野球クイズ開始です”が表示されるとともに、１００１行のＤＩＳＰコマンドに基づいて画面データ〔１，２〕の”しばらくお待ち下さい”が表示される。
　【０１２９】
　次に、問題を出すタイミングがくると、送出システムから、問題を出題するためのプログラムおよび画面データがモジュール番号２のページデータとして送出される。モジュール番号２のページデータを受信すると受信データに基づいて、次のような処理が行なわれる。
　【０１３０】
　まず、効果音が出力される（ステップ３２）。つまり、１００３行のＳＯＵＮＤコマンドに基づいて、効果音”ジャジャーン”が１秒間出力される。
　【０１３１】
　この後、問題が表示されるとともに回答入力待ちとなる（ステップ３３）。つまり、１００４行のＩＮＰＵＴＧコマンドに基づいて、画面データ〔２，１〕の”さあ開始、この打席ヒットｏｒホームラン”が表示されるとともに画面データ〔２，２〕の”（１）ヒット　（２）ホームラン”が表示された後、回答入力待ちとなる。
　【０１３２】
　次に、回答の確認表示が行なわれる（ステップ３４）。ステップ３４の処理は、１００５行〜１０１１行のコマンドに基づいて実行される。１００４行のＩＮＰＵＴＧコマンドで指定された回答待機時間（カウントダウン秒数）内に回答入力がない場合には、１００６行のＤＩＳＰコマンドに基づいて、画面データ〔２，３〕の”回答未入力”が表示される。そして、１００７行のＧＯＴＯコマンドに基づいて、モジュール番号３の１０１２行に進む。
　【０１３３】
　回答入力が”１”である場合には、１００５行のＯＮＧＯＴＯコマンドに基づいて１００８行に進み、１００８行のＤＩＳＰコマンドに基づいて画面データ〔２，４〕の”ヒットですね”が表示される。そして、１００９行のＧＯＴＯコマンドに基づいて、モジュール番号３の１０１２行に進む。
　【０１３４】
　回答入力が”２”である場合には、１００５行のＯＮＧＯＴＯコマンドに基づいて１０１０行に進み、１０１０行のＤＩＳＰコマンドに基づいて画面データ〔２，５〕の”ホームランですね”が表示される。そして、１０１１行のＧＯＴＯコマンドに基づいて、モジュール番号３の１０１２行に進む。
　【０１３５】
　中継されている野球において、上記問題に対する結果が出ると、送出システムから正解を表示するとともに回答を印字するためのプログラムおよび画面データがモジュール番号３のページデータとして送出される。モジュール番号３のページデータを受信すると受信データに基づいて、次のような処理が行なわれる。
　【０１３６】
　まず、正解が表示される（ステップ３５）。つまり、モジュール番号３の１０１２行のＤＩＳＰコマンドに基づいて、画面データ〔３，１〕の”正解はホームランでした”が表示される。
　【０１３７】
　また、ユーザの回答がカード３０に２次元バーコード印字される（ステップ３６）。つまり、１０１３行のＦＩＥＬＤＢコマンドによって印字フィールドが定義された後、１０１４行のＰＵＴＢコマンドによってユーザの回答がカード３０に印字される。
　【０１３８】
　次に、ユーザの回答がカード３０に文字印字される（ステップ３７）。つまり、１０１５行のＬＬＯＣＡＴＥコマンドに基づいて印字位置が指定される。１０１６行のＶＳＥＴコマンドに基づいてユーザの回答が文字コードに変換される。１０１７行のＬＰＲＩＮＴコマンドに基づいてユーザの回答がカード３０に文字印刷される。そして、１０１８行のＥＮＤＣコマンドにより、今回の番組が終了する。
　【０１３９】
〔１１〕　他番組の画面割り込み表示についての説明
　【０１４０】
　特定ＦＭ多重放送においては、複数のコマーシャル（ＣＭ）画面からなるコマーシャル番組を予め送出して、受信システムの第２ＲＡＭ５４に保存しておき、他の番組、たとえば天気予報等の情報サービス番組を表示している途中に、コマーシャル番組内のＣＭ画面を割り込ませて表示する機能を備えている。
　【０１４１】
　図１４は、予め受信されて第２ＲＡＭ５４に格納されたコマーシャル番組を示している。この例では、コマーシャル番組は、ＣＭ画面１〜画面Ｎからなる。
　【０１４２】
　番組表示中にコマーシャル番組のＣＭ画面を割り込ませたい番組（以下、主番組という）において、ＣＭ画面の割り込み指定は、次のようにして行なわれる。主番組のデータユニット（データユニットパラメータが６２Ｈのページデータのデータユニット）には、図６に示すように、データユニットデータが含まれている。また、このデータユニットデータには、１または複数のセグメントが含まれている。各セグメントには、１画面分データが含まれている。
　【０１４３】
　主番組のある表示画面の後にコマーシャル画面を挿入する場合には、図１５に示すように、当該表示画面に対応する１画面分データの先頭に、たとえば、”１ＦＨ　ｃ”といったＣＭ割り込み指令（他番組割り込み指令）を予め送出システム側で挿入しておく。
　【０１４４】
　ＣＭ割り込み指令”１ＦＨ　ｃ”　中の”ｃ”は画面枚数を示す変数である。ＣＭ割り込み指令”１ＦＨ　ｃ”は、当該１画面データが表示された次に、”ｃ”で指定された画面枚数分のコマーシャル画面を表示することを示す。
　【０１４５】
　したがって、たとえば、主番組のある画面データの最初に、ＣＭ割り込み指令”１ＦＨ　１”が含まれている場合には、ＣＰＵ５０によって、当該画面が表示された後にＣＭ番組中の最新過去に表示されたＣＭ画面の次のＣＭ画面が表示される。つまり、ＣＭ割り込み指令が画面データの先頭に含まれている画面が表示される毎に、ＣＭ番組内の画面が、指定された枚数ずつかつＣＭ番組内をサイクリックに巡回するように表示される。
　【０１４６】
　なお、ＣＭ番組内の各画面に表示有効期間を示すデータを含めておき、表示有効期間内のみその画面の表示を許可するようにしてもよい。
　【０１４７】
　なお、上記実施の形態では、この発明をＦＭ多重放送に適用した場合について説明したが、この発明はＦＭ多重放送以外のデータ放送（テレビ放送の文字放送等）にも適用できる。
　【０１４８】
　【発明の効果】
　この発明によれば、送出したプログラムによって実行される番組を提供できるようになる。この発明によれば、送出したプログラムによって実行される番組を多重放送で提供することができるようになる。また、この発明によれば、送出したプログラムによって実行される番組であって、かつ多重放送以外の放送番組の進行と関連した内容の番組を多重放送で提供することができるようになる。
【図面の簡単な説明】
　【図１】
　送出システムの構成を示すブロック図である。
　【図２】
　受信システムの外観を示す斜視図である。
　【図３】
　受信システムの構成を示すブロック図である。
　【図４】
　データユニットパラメータがプログラム型番組の管理データを表すパラメータＰａである番組管理データのデータユニット内のデータユニットデータの構成を示す模式図である。
　【図５】
　データユニットパラメータがプログラム型番組のプログラムを表すパラメータＰｂであるページデータのデータユニット内のデータユニットデータの構成を示す模式図である。
　【図６】
　データユニットパラメータがデータを表すパラメータＰｃであるページデータのデータユニット内のデータユニットデータの構成を示す模式図である。
　【図７】
　番組連動プログラム型番組の送出方法を示すタイムチャートである。
　【図８】
　蓄積プログラム型番組の送出方法を示すタイムチャートである。
　【図９】
　情報サービス番組の送出方法を示すタイムチャートである。
　【図１０】
　送出システムの特定番組編成送出制御部による編成・送出処理手順を示すフローチャートである。
　【図１１】
　受信システムのＣＰＵによる番組データ格納処理手順を示すフローチャートである。
　【図１２】
　受信システムのＣＰＵによるプログラム型番組の実行処理手順を示すフローチャートである。
　【図１３】
　番組連動プログラム組番組の実行過程を示すフローチャートである。
　【図１４】
　コマーシャル番組のデータを示す模式図である。
　【図１５】
　主番組のある表示画面の後にコマーシャル画面を割り込ませる場合において、当該表示画面に対応する１画面分データ領域を示す模式図である。
　【図１６】
　ＤＡＲＣの文字・図形の符号化方式を表す階層構造を示す模式図である。
　【図１７】
　ＤＡＲＣのフレーム構成を示す模式図である。
　【図１８】
　階層３のデータパケットの構成を示す模式図である。
　【図１９】
　階層５の番組データの構成を示す模式図である。
　【図２０】
　番組データヘッダの構成を示す模式図である。
　【図２１】
　番組管理データのデータユニットの構成を示す模式図である。
　【図２２】
　ページデータヘッダの構成を示す模式図である。
　【図２３】
　ページデータのデータユニットの構成を示す模式図である。
　【符号の説明】
　１４　特定番組入力端末
　１５　特定番組編成送出制御部
　１７　ＬＭＳＫ変調器
　１９　ＦＭ変調器
　２０　送信機
　２１　受信装置
　２２　リモートコントローラ
　３１　ディスプレイ
　４１　ＦＭチューナ
　４５　ＢＰＦ
　４６　ＬＭＳＫ復調回路
　４７　誤り訂正回路
　５０　ＣＰＵ
　５１　ＲＯＭ
　５２　漢字ＲＯＭ
　５３　第１ＲＡＭ
　５４　第２ＲＡＭ